(57)【特許請求の範囲】
【請求項１】
電気絶縁性を有するテープを用いて、電池の両極の少なくとも一方に貼着して電気的に外部と絶縁するための電池絶縁ラベルを作成する電池絶縁ラベル作成装置であって、
貼着対象となる電池の種類を指定する電池種類指定手段と、
前記テープを装着するポケット部と、
前記電池の管理情報を記憶する管理情報記憶手段と、
前記テープの前記電池絶縁ラベルとなる部分に、前記管理情報を印刷する管理情報印刷手段と、
切り離す部分が前記電池の種類に応じた所定サイズ以上の電池絶縁ラベルとなるように前記テープを切断するテープ切断手段と、
を備えたことを特徴とする電池絶縁ラベル作成装置。
【請求項２】
前記所定サイズを電池の種類に対応して記憶する所定サイズ記憶手段をさらに備えたことを特徴とする、請求項１に記載の電池絶縁ラベル作成装置。
【請求項３】
前記所定サイズには、縦および横の一方のサイズとなるラベル幅と他方のサイズとなるラベル長が含まれ、
前記テープ切断手段は、前記テープのテープ幅が前記ラベル幅以上のときに、前記電池の種類に応じて前記テープの長手方向を前記ラベル長以上となるように切断するラベル長切断手段を有することを特徴とする、請求項１または２に記載の電池絶縁ラベル作成装置。
【請求項４】
装着された前記テープのテープ幅を検出するテープ幅検出手段と、
前記所定サイズに対して、検出された前記テープ幅では不足する場合、その旨を報知するテープ幅不足報知手段と、
をさらに備えたことを特徴とする、請求項１ないし３のいずれかに記載の電池絶縁ラベル作成装置。
【請求項５】
前記テープは、そのテープ幅に対応する種類のテープカートリッジに収容されて装着され、
前記テープ幅の検出は、装着された前記テープカートリッジの種類の検出に基づいて行われることを特徴とする、請求項４に記載の電池絶縁ラベル作成装置。
【請求項６】
前記管理情報には、前記電池が少なくとも１度は使用されたことを示す使用済み情報が含まれることを特徴とする、請求項１ないし５のいずれかに記載の電池絶縁ラベル作成装置。
【請求項７】
前記使用済み情報には、前記電池が使用された電子機器の種類に関する情報が含まれることを特徴とする、請求項６に記載の電池絶縁ラベル作成装置。
【請求項８】
前記貼付対象となる電池の種類には、単一乾電池、単二乾電池、単三乾電池、単四乾電池、単五乾電池、ＯＯ６Ｐ型電池、大型ボタン電池および小型ボタン電池のうちの複数種が含まれることを特徴とする、請求項１ないし７のいずれかに記載の電池絶縁ラベル作成装置。
【発明の詳細な説明】
【０００１】
【発明の属する技術分野】
本発明は、電池絶縁ラベル作成装置に関する。
【０００２】
【従来の技術】
従来、家庭あるいは職場等において、電池の両極の少なくとも一方に貼着して電気的に外部と絶縁するための電池絶縁ラベルを作成する電池絶縁ラベル作成方法やその装置等は、知られていない。
【０００３】
【発明が解決しようとする課題】
ところで、家庭あるいは職場等において、乾電池等を初めとする各種の電池を装着して動作する電子機器は、多々存在する。一方、近年では、自然環境の保全や資源のリサイクル等により廃棄する電池（廃電池）は、所定の収集日等の廃棄ルールや廃棄ルートを守らねばならない。これらのため、家庭あるいは職場等においては、未使用の電池を備品として用意するばかりでなく、資源ゴミとしての収集日まで廃電池を一括して多数保管する必要がある。
【０００４】
しかし、使用済みとして「廃電池」等と呼ばれる電池にも、その正負両極間に一定レベル以上の電位差（以下、「残留電圧」という）を残すものがあり、この点が安全性の上で問題となる。例えば電池をネックレス等の金属製のものと一緒に保管して、その電池の両極間を短絡（ショート）させ、それにより、ネックレス等が発熱してしまったり、その電池が加熱して膨張したりする場合がある。また、破裂する可能性もある。また、廃電池とはいえ、それらを無造作に多数一括して保管すると廃電池同士が導通して発熱したりする場合もある。例えばボタン電池等では両極間の絶縁部分の距離が短いので、クリップ等の小型の金属片が乗ったり、小数（２〜３）個一緒に保管するだけで、短絡による発熱・膨張・破裂等の可能性がある。不手際等により未使用の電池と混在したりすると、これらの問題はさらに顕著になる。
【０００５】
そこで、本発明は、貼着対象の電池に貼着して安全に管理可能な電池絶縁ラベルを容易に作成できる電池絶縁ラベル作成装置を提供することを目的とする。
【０００６】
【課題を解決するための手段】
本発明の電池絶縁ラベル作成装置は、電気絶縁性を有するテープを用いて、電池の両極の少なくとも一方に貼着して電気的に外部と絶縁するための電池絶縁ラベルを作成する電池絶縁ラベル作成装置であって、貼着対象となる電池の種類を指定する電池種類指定手段と、前記テープを装着するポケット部と、前記電池の管理情報を記憶する管理情報記憶手段と、前記テープの前記電池絶縁ラベルとなる部分に、前記管理情報を印刷する管理情報印刷手段と、切り離す部分が前記電池の種類に応じた所定サイズ以上の電池絶縁ラベルとなるように前記テープを切断するテープ切断手段と、を備えたことを特徴とする。
【０００８】
この電池絶縁ラベル作成装置では、電池の両極の少なくとも一方に貼着して電気的に外部と絶縁するための電池絶縁ラベルを作成する。このため、貼着対象となる電池の種類を指定し、その電池（の少なくとも一方の極）に電気絶縁性を有して貼着可能なテープを装着し、切り離す部分がその電池の種類に応じた所定サイズ以上の電池絶縁ラベルとなるようにテープを切断する。これにより、テープの切断（切り離された）された部分は、貼着対象の電池の種類に応じた所定サイズ以上の電池絶縁ラベルとなる。また、装着されたテープは、電気絶縁性を有して電池（の少なくとも一方の極）に貼着可能なテープなので、この電池絶縁ラベルも、電気絶縁性を有して電池（の少なくとも一方の極）に貼着可能なもの（ラベル）となる。したがって、貼着対象の電池の種類の指定およびテープの装着をするだけ（の簡易な操作）で、その電池（の少なくとも一方の極）に貼着して安全に管理可能な電池絶縁ラベルを、容易に作成できる。なお、電池の少なくとも一方の極を電気的に外部と絶縁すれば（その極に電池絶縁ラベルを貼れば）、安全性は確保できるが、両極ともに絶縁しても良いし、片方の貼着部分が剥がれても安全を維持できるという意味で安全性を向上できる。また、電池の管理情報を記憶し、テープの電池絶縁ラベルとなる部分に、管理情報を印刷するので、管理情報が印刷された電池絶縁ラベルを作成でき、これにより、さらに管理しやすくなる。
【００１０】
また、この場合、前記所定サイズを電池の種類に対応して記憶する所定サイズ記憶手段をさらに備えたことが好ましい。
【００１１】
原理的に、電池の種類により、外部との絶縁のための電池絶縁ラベルとして必要最小限のサイズは異なることになるが、この電池絶縁ラベル作成装置では、電池の種類に応じた所定サイズをその電池の種類に対応して記憶するので、それを参照することにより、電池の種類の指定に基づいてそれに応じた所定サイズを容易に得られる。このため、必要最小限のサイズ等を所定サイズとして規定して記憶しておくことにより、電池の種類の指定に基づいてそれに応じた所定サイズ（必要最小限サイズ）以上の電池絶縁ラベルを容易に作成できる。
【００１３】
また、これらの場合、前記所定サイズには、縦および横の一方のサイズとなるラベル幅と他方のサイズとなるラベル長が含まれ、前記テープ切断手段は、前記テープのテープ幅が前記ラベル幅以上のときに、前記電池の種類に応じて前記テープの長手方向を前記ラベル長以上となるように切断するラベル長切断手段を有することが好ましい。
【００１４】
この電池絶縁ラベル作成装置では、所定サイズには、縦および横の一方のサイズとなるラベル幅と他方のサイズとなるラベル長が含まれ、テープのテープ幅がラベル幅以上のときに、電池の種類に応じてテープの長手方向をラベル長以上となるように切断する。すなわち、ラベル幅以上のテープ幅のテープを装着することにより、電池の種類に応じてテープの長手方向をラベル長以上となるように切断するだけで、所定サイズ以上の電池絶縁ラベルを容易に作成できる。
【００１６】
また、これらの場合、装着された前記テープのテープ幅を検出するテープ幅検出手段と、前記所定サイズに対して、検出された前記テープ幅では不足する場合、その旨を報知するテープ幅不足報知手段と、をさらに備えたことが好ましい。
【００１７】
この電池絶縁ラベル作成装置では、装着されたテープのテープ幅を検出し、所定サイズに対して、検出されたテープ幅では不足する場合、その旨を報知するので、新たに幅広のテープ幅のテープに交換するなどの対応が容易にできる。
【００１９】
また、この場合、前記テープは、そのテープ幅に対応する種類のテープカートリッジに収容されて装着され、前記テープ幅の検出は、装着された前記テープカートリッジの種類の検出に基づいて行われることが好ましい。
【００２０】
この電池絶縁ラベル作成装置では、テープは、そのテープ幅に対応する種類のテープカートリッジに収容されて装着され、テープ幅の検出は、装着されたテープカートリッジの種類の検出に基づいて行われる。すなわち、テープ幅がテープカートリッジの種類と対応しているので、テープカートリッジの種類を検出することにより、テープ幅を検出できる。検出対象としては、テープ自体のテープ幅を直接検出するより、テープカートリッジの種類の方が検出しやすいので、検出機構を簡易にでき、また、最終的に電池絶縁ラベルとなるテープ自体には非接触の状態で、テープ幅を検出できる。
【００２５】
また、この場合、前記管理情報には、前記電池が少なくとも１度は使用されたことを示す使用済み情報が含まれることが好ましい。
【００２６】
この電池絶縁ラベル作成装置では、管理情報には、電池が少なくとも１度は使用されたことを示す使用済み情報が含まれるので、電池絶縁ラベルには使用済み情報が印刷され、これを電池に貼ることにより、その電池が使用済みであることを把握しやすくなる。
【００２８】
また、この場合、前記使用済み情報には、前記電池が使用された電子機器の種類に関する情報が含まれることが好ましい。
【００２９】
一般に、例えばモータ等の駆動系のある電子機器（各種プレーヤ等）と電子回路のみから成る電子機器（ラジオ、ディジタル時計等）とで、必要とする残留電圧が異なるように、電子機器の種類に応じて必要とする残留電圧が異なるので、ある種の電子機器（Ａ機器）では使用できない電池であっても、他の種の電子機器（Ｂ機種）では使用可能な場合がある。また、複数個の電池を使用する電子機器では、新旧の電池の混在を禁止している機種もあるため、このような機種に使用した電池には、単独ではその電池として十分な残留電圧を残すものもある。この電池絶縁ラベル作成方法およびその装置では、使用済み情報には、電池が使用された電子機器の種類に関する情報が含まれるので、例えばＡ機器で使用済みの電池をＢ機器用に使用するなど、流用の可能性が把握でき、管理しやすくなると共に、資源の有効活用にも有益な情報を得られる。すなわち、電池を安全に管理できるばかりでなく、資源の有効活用にも有益な電池絶縁ラベルを作成できる。
【００４０】
また、これらの場合、前記貼付対象となる電池の種類には、単一乾電池、単二乾電池、単三乾電池、単四乾電池、単五乾電池、ＯＯ６Ｐ型電池、大型ボタン電池および小型ボタン電池のうちの複数種が含まれることが好ましい。
【００４１】
この電池絶縁ラベル作成装置では、貼付対象となる電池の種類には、単一乾電池、単二乾電池、単三乾電池、単四乾電池、単五乾電池、ＯＯ６Ｐ型電池、大型ボタン電池および小型ボタン電池のうちの複数種が含まれる。すなわち、家庭や職場等で一般的に使用される電池の複数種が含まれ、それらのうちから貼着対象の電池の種類を指定できるので、この電池絶縁ラベル作成装置は、一般的かつ汎用的に使用できる。
【００４２】
【発明の実施の形態】
以下、本発明の一実施形態に係る電池絶縁ラベル作成装置を適用したテープ印刷装置について、添付図面を参照しながら詳細に説明する。
【００４３】
図１および図２は、本実施形態におけるテープ印刷装置の全体および開閉蓋を開けたときの外観構成を示し、図３は、その制御系のブロック図である。図１および図２に示すように、このテープ印刷装置１は、上下２分割の装置ケース２により外殻が形成され、装置ケース２の前部上面には各種入力キーから成るキーボード３を備え、後部上面には開閉蓋２１が取り付けられ、その右部の窓に臨むようにディスプレイ４が配設されている。
【００４４】
また、図３に示すように、基本的な構成として、キーボード３やディスプレイ４を有してユーザとのインタフェースを行う操作部１１、印刷ヘッド（サーマルヘッド）７やテープ送り部１２０を有してポケット６内に装着したテープカートリッジＣの印刷用テープ（以下単に「テープ」）Ｔに印刷を行う印刷部１２、印刷後のテープＴの切断を行う切断部１３、各種センサを有して各種検出を行う検出部１４、各種ドライバを有して各部回路を駆動する駆動部２７０、および、テープ印刷装置１内の各部を制御する制御部２００を備えている。このため、装置ケース２の内部には、印刷部１２、切断部１３、検出部１４などの他、図外の回路基板が収納されている。この回路基板には、電源ユニットの他、駆動部２７０や制御部２００の各回路などが搭載され、図外のＡＣアダプタ接続口や外部から着脱可能なニッカド電池等の電池に接続されている。
【００４５】
テープ印刷装置１では、ユーザが、ポケット６にテープカートリッジＣを装着した後、ディスプレイ４により入力・編集結果を確認しながらキーボード３により所望の文字など（文字、数字、記号、簡易図形等のキャラクタ）の印刷情報を入力して、印刷を指示すると、テープ送り部１２０によりテープカートリッジＣからテープＴを繰り出して、印刷ヘッド７によりテープＴに所望の印刷を行い、印刷済み部分はテープ排出口２２から随時外部に送り出される。所望の印刷が完了すると、テープ送り部１２０は、余白分を含むテープ長さの位置までテープＴの送りを行った後、その送りを停止する。
【００４６】
図２および図３に示すように、印刷部１２には、開閉蓋２１の内側に、テープカートリッジＣを装着するためのポケット６が設けられていて、テープカートリッジＣは、この開閉蓋２１を開放した状態でポケット６に対して着脱される。テープカートリッジＣには、カートリッジケース５１の内部に一定の幅（４．５ｍｍ〜４８ｍｍ程度）のテープＴとインクリボンＲとが収容されており、また、ポケット６に配設されたヘッドユニット６１に差し込むための貫通孔５５が形成されている。また、相異なる幅等のテープＴの種別を識別できるように、裏面に小さな複数の孔が設けられ、ポケット６には、この孔の有無を検出するマイクロスイッチ等を含むテープ識別センサ１４２が設けられていて、これにより、テープＴの種別を検出できるようになっている。
【００４７】
テープＴは、裏面に接着面が形成され、それが剥離紙によって覆われた構成になっている。テープＴとインクリボンＲは、貫通孔５５の位置で相互に重なり合った状態で走行するとともに、テープＴのみが外部に排出され、インクリボンＲは内部で巻き取られるようになっている。
【００４８】
ヘッドユニット６１には、サーマルヘッドから成る印刷ヘッド７が内蔵されており、テープカートリッジＣがポケット６に装着された状態で、印刷ヘッド７が、テープカートリッジＣの貫通孔５５から露出しているインクリボンＲの裏面に当たるようになっている。そして、印刷ヘッド７を発熱駆動することにより、所望の文字などがテープＴの表面に印刷される。また、ポケット６には、環境（周囲）温度を検出して報告するサーミスタなどの周囲温度センサ１４３が設けられていて、周囲温度を検出して制御部２００に報告する。また、装置ケース２の左側部には、ポケット６と装置外部とを連通するテープ排出口２２が形成され、テープ排出口２２には、送りだしたテープＴを切断するテープカッタ１３２が臨んでいる。また、ポケット６には、装着されたテープカートリッジ４の被駆動部が係合する駆動軸６２、６３などが設けられており、送りモータ１２１を駆動源として、これらの駆動軸６２、６３により、テープカートリッジＣ内のテープＴおよびインクリボンＲの送りが行われ、かつこれらに同期して印刷ヘッド７を駆動することで、印刷が行われる。また、印刷完了後、テープＴの送りが続行され所定の切断位置がテープカッタ１３２の位置まで送られる。
【００４９】
なお、印刷ヘッド７の表面に密着してサーミスタなどのヘッド表面温度センサ１４４が設けられていて、印刷ヘッド７の表面温度を検出して制御部２００に報告する。また、送りモータ１２１の先端には図外の検出開口が形成された円盤が固着され、その検出開口に臨むようにフォトセンサ等を有する回転速度センサ１４１が設けられていて、送りモータ１２１の回転速度を検出して制御部２００に報告する。
【００５０】
切断部１３は、テープカッタ１３２と、任意長印刷などの場合に手動によりテープカッタ１３２を切断動作させるカットボタン１３３と、定長印刷などの場合に自動的にテープカッタ１３２を切断動作させるカッタモータ１３１と、を備えている。また、これにより、テープ印刷装置１では、モード設定によって、自動／手動を切り替えられるようにしている。このため、手動カットの場合、印刷が完了した時点で、ユーザが、装置ケース２に配設されたカットボタン１３３を押すことで、テープカッタ１３２が作動しテープＴが所望の長さに切断される。また、自動カットの場合、印刷が終了して余白分だけテープ送りされ、それが停止すると同時に、カッタモータ１３１が駆動され、テープＴの切断が行われる。
【００５１】
検出部１４は、前述の回転速度センサ１４１、テープ識別センサ１４２、周囲温度センサ１４３、ヘッド表面温度センサ１４４を備えている。なお、実状に合わせて、これらを省略した構成とすることもできる。
【００５２】
駆動部２７０は、ディスプレイドライバ２７１と、ヘッドドライバ２７２と、モータドライバ２７３とを備えている。ディスプレイドライバ２７１は、制御部２００から出力される制御信号に基づき、その指示に従って、操作部１１のディスプレイ４を駆動する。同様に、ヘッドドライバ２７２は、制御部２００の指示に従って、印刷部１２の印刷ヘッド７を駆動する。また、モータドライバ２７３は、印刷部１２の送りモータ１２１を駆動する送りモータドライバ２７３ｄと、切断部１３のカッタモータ１３１を駆動するカッタモータドライバ２７３ｃとを有し、同様に、制御部２００の指示に従って、各モータを駆動する。
【００５３】
操作部１１は、キーボード３とディスプレイ４とを備えている。ディスプレイ４は、横方向（Ｘ方向）約６cm×縦方向（Ｙ方向）４cmの長方形の形状の内側に、９６ドット×６４ドットの表示画像データを表示可能な表示画面４１を有し、ユーザがキーボード３からデータや各種指令・指示等を入力して、キャラクタ列画像データ（後述のテキスト印刷データ）などの印刷画像データを作成・編集したり、その結果等を視認したりする際などに用いられる。
【００５４】
キーボード３には、アルファベットキー群、記号キー群、数字キー群、平仮名や片仮名等の仮名キー群、および外字を呼び出して選択するための外字キー群等を含む文字キー群３１の他、各種の動作モードなどを指定するための機能キー群３２などが配列されている。
【００５５】
機能キー群３２には、図外の電源キー３２１、印刷動作を指示するための印刷キー３２２、テキスト入力時のデータ確定や改行および選択画面における各種モードの選択指示のための選択キー３２３、網掛け、アンダーライン、囲み等のいわゆる文字装飾や背景模様（地模様やイラスト等を含む）などの装飾を設定するための装飾設定キー３２４、文字色、背景色、装飾色などの色彩（濃淡、彩度、色艶、透明度等を含む）を設定するための色彩設定キー３２５、並びに、それぞれ上（「↑」）、下（「↓」）、左（「←」）、右（「→」）方向へのカーソル移動や表示画面４１の表示範囲を移動させるための４個のカーソルキー３３０（３３０Ｕ、３３０Ｄ、３３０Ｌ、３３０Ｒ：「カーソル「↑」キー３３０Ｕ」など）が含まれる。
【００５６】
機能キー群３２には、さらに、各種指示を取り消すための取消キー３２６、各キーの役割を変更したり、描画登録画像データの修正等に用いられるシフトキー３２７、テキスト入力画面や選択画面と印刷画像データの表示画面（イメージ画面）とを相互に切り換えるためのイメージキー３２８、印刷画像データとイメージ画面に表示する表示画像データとの大きさの比率を変更するための比率変更（ズーム）キー３２９、文字の書体を含む各種フォームを設定するためのフォームキー３３１、後述の廃電池ラベル作成処理を起動する廃電池ラベルキー３４０などが含まれる。
【００５７】
なお、当然ながら、一般的なキーボードと同様に、これらのキー入力は、各キー入力毎に個別にキーを設けて入力しても良いし、シフトキー３２７等と組み合わせてより少ない数のキーを用いて入力しても良い。ここでは、理解を容易にするために上記の分だけキーがあるものとする。図３に示すように、キーボード３は、上述のような種々の指令およびデータを制御部２００に入力する。
【００５８】
制御部２００は、ＣＰＵ２１０、ＲＯＭ２２０、キャラクタジェネレータＲＯＭ（ＣＧ−ＲＯＭ）２３０、ＲＡＭ２４０、周辺制御回路（Ｐ−ＣＯＮ）２５０を備え、互いに内部バス２６０により接続されている。ＲＯＭ２２０は、ＣＰＵ２１０で処理する制御プログラムを記憶する制御プログラム領域２２１の他、色変換テーブルや文字修飾テーブルなどを含む制御データを記憶する制御データ領域２２２を有している。ＣＧ−ＲＯＭ２３０は、テープ印刷装置１に用意されている文字、記号、図形等のフォントデータを記憶していて、文字等を特定するコードデータが与えられたときに、対応するフォントデータを出力する。
【００５９】
ＲＡＭ２４０は、電源キー３２１の操作により電源がオフにされても、記憶したデータを保持しておくように図外のバックアップ回路によって電源の供給を受けており、各種レジスタ群２４１や、ユーザがキーボード３から入力した文字等のテキストデータを記憶するテキストデータ領域２４２、表示画面４１の表示画像データを記憶する表示画像データ領域２４３、印刷画像データを記憶する印刷画像データ領域２４４、描画登録画像データを記憶する描画登録画像データ領域２４５の他、印刷履歴データ領域２４６やその他の色変換バッファなどの各種変換バッファ領域２４７などの領域を有し、制御処理のための作業領域として使用される。
【００６０】
Ｐ−ＣＯＮ２５０には、ＣＰＵ２１の機能を補うとともに周辺回路とのインタフェース信号を取り扱うための論理回路が、ゲートアレイやカスタムＬＳＩなどにより構成されて組み込まれている。例えば、種々の計時を行うタイマ２５１などもＰ−ＣＯＮ２５０内の機能として組み込まれている。このため、Ｐ−ＣＯＮ２５０は、検出部１４の各種センサやキーボード３と接続され、検出部１４からの前述した各種検出信号およびキーボード３からの各種指令や入力データなどをそのままあるいは加工して内部バス２６０に取り込むとともに、ＣＰＵ２１０と連動して、ＣＰＵ２１０等から内部バス２６０に出力されたデータや制御信号を、そのままあるいは加工して駆動部２７０に出力する。
【００６１】
そして、ＣＰＵ２１０は、上記の構成により、ＲＯＭ２２０内の制御プログラムに従って、Ｐ−ＣＯＮ２５０を介して各種検出信号、各種指令、各種データ等を入力し、ＣＧ−ＲＯＭ２３０からのフォントデータ、ＲＡＭ２４０内の各種データ等を処理し、Ｐ−ＣＯＮ２５０を介して駆動部２７０に制御信号を出力することにより、印刷の位置制御や表示画面４１の表示制御等を行うとともに、印刷ヘッド７を制御して所定の印刷条件でテープＴに印刷するなど、テープ印刷装置１全体を制御している。
【００６２】
次に、テープ印刷装置１の制御全体の処理フローについて、図４を参照して説明する。電源オン等により処理が開始すると、同図に示すように、まず、テープ印刷装置１を、前回の電源オフ時の状態に戻すために、退避していた各制御フラグを復旧するなどの初期設定を行い（Ｓ１）、次に、前回の表示画面を初期画面として表示する（Ｓ２）。図４のその後の処理、すなわちキー入力か否かの判断分岐（Ｓ３）および各種割込処理（Ｓ４）は、概念的に示した処理である。実際には、テープ印刷装置１では、初期画面表示（Ｓ２）が終了すると、キー入力割込を許可し、キー入力割込が発生するまでは、そのままの状態を維持し（Ｓ３：Ｎｏ）、何らかのキー入力割込が発生すると（Ｓ３：Ｙｅｓ）、それぞれの割込処理に移行して（Ｓ４）、その割込処理が終了すると、再度、キー入力割込待機状態（Ｓ３：Ｎｏ）となる。
【００６３】
上述のように、テープ印刷装置１では、主な処理を割込処理により行うので、印刷画像作成・印刷の準備ができていれば、ユーザが任意の時点で印刷キー３２２を押すことにより、印刷処理割込が発生して、印刷処理が起動され、印刷画像データに基づいて印刷画像の印刷ができる。すなわち、印刷に至るまでの操作手順は、ユーザが任意に選択できる。
【００６４】
また、テープ印刷装置１では、種々の印刷画像の印刷が可能であり、また、それらの印刷部分を（手動または自動）カットすることにより、各種のラベルを作成でき、その一種として電池絶縁ラベルがある。ここで、電池絶縁ラベルとは、電池の両極の少なくとも一方に貼着して電気的に外部と絶縁するためのラベルであり、主に、使用済みにより廃棄する電池（廃電池）を貼付対象とするので、以下では、適宜、廃電池ラベルと呼ぶ。
【００６５】
ところで、近年では、自然環境の保全や資源のリサイクル等により、廃電池は、所定の収集日等の廃棄ルールや廃棄ルートを守らねばならない。これらのため、家庭あるいは職場等においては、未使用の電池を備品として用意するばかりでなく、資源ゴミとしての収集日まで廃電池を一括して多数保管する必要がある。しかし、未使用の電池はもちろんのこと、使用済みとして「廃電池」と呼ばれる電池にも、その正負両極間に一定レベル以上の電位差（以下、「残留電圧」という）を残すものがあり、この点が安全性の上で問題となる。
【００６６】
例えば電池をネックレス等の金属製のものと一緒に保管して、その電池の両極間を短絡（ショート）させ、それにより、ネックレス等が発熱してしまったり、その電池が加熱して膨張したりする場合がある。また、破裂する可能性もある。また、廃電池とはいえ、それらを無造作に多数一括して保管すると廃電池同士が導通して発熱したりする場合もある。例えばボタン電池等では両極間の絶縁部分の距離が短いので、クリップ等の小型の金属片が乗ったり、小数（２〜３）個一緒に保管するだけで、短絡による発熱・膨張・破裂等の可能性がある。不手際等により未使用の電池と混在したりすると、これらの問題はさらに顕著になる。
【００６７】
そこで、テープ印刷装置１では、貼着対象の電池に貼着して安全に管理可能な電池絶縁ラベル（廃電池ラベル）を容易に作成できるようにしている。ユーザは、廃電池ラベルを作成したい場合、まず、廃電池ラベルキー３４０を押すことにより、廃電池ラベル処理を起動できる。テープ印刷装置１では、ユーザにより廃電池ラベルキー３４０が押されると、廃電池ラベルキー割込を発生して、図５に示すように、廃電池ラベル作成処理（Ｓ１０）を起動する。なお、ここでは、廃電池ラベルキー入力による割込処理として説明するが、印刷キー３２２の押下による印刷処理割込により印刷処理を起動すると、最初に印刷の種類を選択できるので、そこで、廃電池ラベル印刷を選択することもできる。
【００６８】
廃電池ラベル作成処理（Ｓ１０）では、図５に示すように、まず、廃電池ラベル作成をするのか否かの確認メッセージ、例えば「電池種類選択？  Ｙｅｓ（Ｙ）／Ｎｏ（Ｎ）」などの確認メッセージを、ディスプレイ４の表示画面４１に表示し、ユーザに、Ｙｅｓ（Ｙ）またはＮｏ（Ｎ）の入力を促す。ここで、廃電池ラベル作成でない場合（Ｓ１１：Ｎｏ）、例えばユーザが誤操作により廃電池ラベルキー３４０を押してしまったような場合、ユーザは、文字キー群３１のうちの「Ｎ」キーあるいは取消キー３２６を押すことにより、元の状態（例えばテキスト編集画面を表示した状態：テキスト編集状態）に戻すことができる。すなわち、この廃電池ラベル作成処理（Ｓ１０）では、廃電池ラベル作成でない場合（Ｓ１１：Ｎｏ）、直ちに処理を終了して（Ｓ２２）、元の状態に戻すことができる。
【００６９】
一方、廃電池ラベル作成の場合（Ｓ１１：Ｙｅｓ）、ユーザは、文字キー群３１のうちの「Ｙ」キーあるいは選択キー３２３を押すことにより、廃電池ラベル作成であることを確認入力でき、この場合、本処理（Ｓ１０）では、次に、例えば図６（ａ）に示すように、電池の種類を選択するための電池種類の選択画面を表示する（画面Ｔ１：以下、ディスプレイ４の表示画面４１の表示状態を画面Ｔ〜で表現し、参照番号としてはＴ〜のみで示す）。この状態（Ｔ１）では、電池の種類の選択肢として、例えば▲１▼「単一乾電池」、▲２▼「単二乾電池」、▲３▼「単三乾電池」、▲４▼「単四乾電池」、▲５▼「ＯＯ６Ｐ型電池」、▲６▼「ボタン電池（大）」（大型ボタン電池）および▲７▼「ボタン電池（小）」（小型ボタン電池）などの選択肢を表示する。もちろん、これらの他、単五乾電池、ＡＡＡサイズ乾電池等を選択肢とすることもできる。テープ印刷装置１の廃電池ラベル作成処理（Ｓ１０）では、貼付対象となる電池の種類には、家庭や職場等で一般的に使用される電池の複数種が含まれ、それらのうちから貼着対象の電池の種類を指定できるので、一般的かつ汎用的に使用できる。
【００７０】
ユーザは、これらの選択肢のうちのいずれか１つを、カーソルキー３３０を操作して反転表示または点滅表示させ、選択キー３２３を押すことにより、反転表示または点滅表示された選択肢を選択・指定できる。電池種類の選択画面に遷移した直後には、直近に選択（アクセス）された選択肢（それがない場合は初期設定によりデフォルトで選択される選択肢）を反転表示する。ユーザは、その状態のままで良ければ、すなわち特に新たな電池の種類を選択する必要がないときには、そのまま選択キー３２３を押せば、元の選択のままとすることができる（図５のＳ１２：Ｎｏ）。一方、他の種類を選択（指定）したいときには、カーソルキー３３０を操作して（図５のＳ１２：Ｙｅｓ）、所望の選択肢を点滅表示させてから、選択キー３２３を押すことにより、その選択肢を選択できる（図５のＳ１３）。
【００７１】
上述のように、テープ印刷装置１の選択画面における反転表示または点滅表示された選択肢は、その状態での選択キー３２３の操作で選択される選択肢なので、以下「選択表示」という（点網掛けで図示）。例えば図６（ａ）では、▲３▼「単三乾電池」が選択表示されているので、この状態（Ｔ１）で、ユーザにより選択キー３２３が押されると、電池の種類として「単三乾電池」を選択する（図５のＳ１２がＮｏ、またはＳ１２がＹｅｓの後のＳ１３）。なお、ここでは、電池種類の選択画面に遷移直後に、直近アクセスの（直近に選択した）選択肢を選択表示したまま選択キー３２３が押された場合を、電池種類選択無し（図５のＳ１２：Ｎｏ）としたが、電池種類の選択画面に遷移する前に、文字通り、例えば「電池種類選択？  Ｙｅｓ（Ｙ）／Ｎｏ（Ｎ）」などのメッセージを表示して、ユーザに選択させても良い。前述の廃電池ラベル作成か否かの判別（Ｓ１１）と同様に、ユーザは、文字キー群３１のうちの「Ｙ」キーあるいは選択キー３２３を押すことにより、電池種類の選択画面に遷移させ、電池種類選択（Ｓ１３）に移行でき、また、文字キー群３１のうちの「Ｎ」キーにより、電池種類選択（Ｓ１３）を省略できる。
【００７２】
電池種類選択が終了すると（Ｓ１２がＮｏ、またはＳ１２がＹｅｓの後のＳ１３）、次に、廃電池ラベルとして電池に貼付したときにその電池の管理情報となる情報を入力して記憶する。以下の説明では、この管理情報の例として、対象品名やメモを入力する。すなわち、テープ印刷装置１では、電池の管理情報を記憶し、テープＴの廃電池ラベル（電池絶縁ラベル）となる部分に、管理情報を印刷するので、管理情報が印刷された廃電池ラベル（電池絶縁ラベル）を作成でき（図８〜図１１参照）、これにより、さらに管理しやすくなる。この管理情報には、電池が少なくとも１度は使用されたことを示す使用済み情報が含まれることが好ましく、この場合、廃電池ラベル（電池絶縁ラベル）には使用済み情報が印刷され、これを電池に貼ることにより、その電池が使用済みであることを把握しやすくなる。
【００７３】
また、この場合、使用済み情報には、電池が使用された電子機器の種類に関する情報が含まれることが好ましく、本例では、この情報を対象品名の情報として入力する。このため、図５に示すように、電池の種類の選択・指定が終了すると、電池の管理情報として、対象品名を入力するか否かの確認メッセージ、例えば「対象品名入力？  Ｙｅｓ（Ｙ）／Ｎｏ（Ｎ）」などの確認メッセージ、を表示し、ユーザに、Ｙｅｓ（Ｙ）またはＮｏ（Ｎ）の入力を促す。ユーザは、対象品名を入力したい場合、文字キー群３１のうちの「Ｙ」キーあるいは選択キー３２３を押すことにより、対象品名を入力することを確認入力でき（Ｓ１４：Ｙｅｓ）、この場合、本処理（Ｓ１０）では、次に、例えば図６（ｂ）に示すように、対象品名を選択するための対象品名の選択画面を表示する（Ｔ２、図５のＳ１５）。
【００７４】
この状態（Ｔ２）では、対象品名の選択肢として、例えば▲１▼「時計」、▲２▼「ラジオ」、▲３▼「懐中電灯」、▲４▼「カセットレコーダ」、▲５▼「ＣＤプレーヤ」、▲６▼「ＭＤプレーヤ」および▲７▼「電気かみそり」などの選択肢を表示する。ユーザは、これらの選択肢のうちのいずれか１つを選択表示させ、選択キー３２３を押すことにより、選択表示された選択肢を選択・指定できる。対象品名の選択画面に遷移した直後には、直近アクセス（またはデフォルト）の選択肢を選択表示するので、一方、他の品名を選択（指定）したいときには、カーソルキー３３０を操作して、所望の選択肢を選択表示させてから、選択キー３２３を押すことにより、その選択肢を選択できる（Ｓ１５）。例えば図６（ｂ）では、▲４▼「カセットレコーダ」が選択表示されているので、この状態（Ｔ２）で、ユーザにより選択キー３２３が押されると、対象品名として「カセットレコーダ」を選択する（図５のＳ１５）。
【００７５】
一般に、例えばモータ等の駆動系のある電子機器（各種プレーヤ等：例えば上記の▲４▼〜▲７▼等）と電子回路のみから成る電子機器（ラジオ、ディジタル時計等：例えば上記の▲１▼〜▲３▼）とで、必要とする残留電圧が異なるように、電子機器の種類に応じて必要とする残留電圧が異なるので、ある種の電子機器（Ａ機器：例えば上記の前者）では使用できない電池であっても、他の種の電子機器（Ｂ機種：例えば後者）では使用可能な場合がある。また、複数個の電池を使用する電子機器では、新旧の電池の混在を禁止している機種もあるため、このような機種に使用した電池には、単独ではその電池として十分な残留電圧を残すものもある。
【００７６】
上述のように、テープ印刷装置１では、使用済み情報として、対象品名（電池が使用された電子機器の種類に関する情報）が含まれる（図８〜図１１参照）ので、例えばＡ機器で使用済みの電池をＢ機器用に使用するなど、流用の可能性が把握でき、管理しやすくなると共に、資源の有効活用にも有益な情報を得られる。すなわち、電池を安全に管理できるばかりでなく、資源の有効活用にも有益な電池絶縁ラベルを作成できる。なお、ここでは、対象品名の選択の前に、対象品名を入力するか否かの確認メッセージを表示し、ユーザに、確認入力を促したが、対象品名の入力を必須とすれば、対象品名入力か否かの判別（図５のＳ１４）の処理は省略できる。また、上記の選択肢に、例えば▲８▼「対象品名の入力無し」などの選択肢を加え、対象品名入力か否かの判別（Ｓ１４）と対象品名選択（Ｓ１５）とを同時に（同一表示画面において同様に）行うようにしても良い。
【００７７】
また、単に電池が使用された電子機器の種類に関する情報ではなく、例えばＡ機器では使用不可能であるとか、Ｂ機器では使用可能であるなど、管理情報には、電池では使用不可能な電子機器またはその電池で使用可能な電子機器に関する情報が含まれることが好ましい。すなわち、上述の対象品名（電池が使用された電子機器の種類に関する情報）を含み、使用不可能あるいは使用可能な電子機器に関する情報を得ることができ、これにより、電池を安全に管理でき、資源の有効活用にも有益な廃電池ラベル（電池絶縁ラベル）を作成できる。
【００７８】
また、この場合、管理情報には、電池の残留電圧に関する情報が含まれることがさらに好ましく、本例では、これらの情報をメモの情報として入力する。このため、図５に示すように、対象品名の入力が終了すると（Ｓ１４〜Ｓ１５）、電池の管理情報として、メモを入力するか否かの確認メッセージ、例えば「メモ入力？  Ｙｅｓ（Ｙ）／Ｎｏ（Ｎ）」などの確認メッセージ、を表示し、ユーザに、Ｙｅｓ（Ｙ）またはＮｏ（Ｎ）の入力を促す。ユーザは、メモを入力したい場合、文字キー群３１のうちの「Ｙ」キーあるいは選択キー３２３を押すことにより、メモを入力することを確認入力でき（Ｓ１６：Ｙｅｓ）、この場合、本処理（Ｓ１０）では、次に、例えば図６（ｃ）に示すように、メモを入力するためのメモ入力画面を表示する（Ｔ３、図５のＳ１７）。
【００７９】
なお、ここでは、メモ入力の前に、メモ入力をするか否かの確認メッセージを表示し、ユーザに、確認入力を促したが、例えば直接、図６（ｃ）で上述のようなメモ入力画面を表示し、その画面上で何も入力無しに選択キー３２３等が押されたときにはメモ入力無し（Ｓ１６：Ｎｏ）、何らかの入力があった後に選択キー３２３等が押されたときには、メモ入力有り（Ｓ１６：Ｙｅｓ）として、その入力内容を取り込む（Ｓ１７）、などのように、メモ入力するか否かの判別（Ｓ１６）とメモ入力（Ｓ１７）とを同時に（同一表示画面において同様に）行うようにしても良い。また、このメモ入力画面におけるテキスト入力・編集は、通常のテキスト編集画面におけるテキスト編集と同様なので、このメモ入力を利用すれば、テキスト入力できる情報であれば何でも管理情報とすることができる。このため、上述した対象品名の入力（Ｓ１４〜Ｓ１５）を省略して、同様の内容をメモの情報として入力しても良い。また、例えば「Ａ機器：使用不可能」、「Ｂ機器：使用可能」など、電子機器の種類とその種類における使用可否を対応して入力することなどもできる。
【００８０】
また、図６（ｃ）に示すように、「１．２０Ｖ」等を入力できるので、管理情報には、電池の残留電圧に関する情報を含ませることができる。この場合、その残留電圧に関する電圧からその電池を使用可能な電子機器を判断する場合等の参考情報を得られ、これにより、電池を安全に管理でき、資源の有効活用にも有益な廃電池ラベル（電池絶縁ラベル）を作成できる。また、電池の残留電圧に関する情報を得るために、例えばテスタ等により電池の残留電圧を検出しておいてから廃電池ラベルを作成することができる。あるいは、テープ印刷装置１に各種の電池の装着部（または各種の電池の正負両電極に接続可能なプローブ等）を設け、各種電池の残留電圧を検出する検出手段を備える（内蔵する）ようにすることもできる。これらの場合、電池の残留電圧を検出するので、それを管理情報の一部として記憶させ易くなる。
【００８１】
廃電池ラベル作成である旨を確認入力し（Ｓ１１：Ｙｅｓ）、電池の種類を選択・指定し（Ｓ１２〜Ｓ１３）、印刷すべき各種管理情報の入力（Ｓ１４〜Ｓ１７）が終了すると、その旨を確認するメッセージ、例えば「入力ＯＫ？  Ｙｅｓ（Ｙ）／Ｎｏ（Ｎ）」などの確認メッセージ、あるいはメッセージと共に入力されたデータ一覧等を表示して、入力終了か否かの確認をユーザに促す（Ｓ１８）。これに対し、ユーザは、修正・追加等がしたい場合には、文字キー群３１の「Ｎ」キーを押すことにより（Ｓ１８：Ｎｏ）、ループ処理（Ｓ１１〜Ｓ１８）を行って選択・指定・入力・設定の変更等を行うことができる。また、ユーザは、それらを終了して、入力ＯＫの場合には、文字キー群３１の「Ｙ」キーあるいは選択キー３２３を押すことにより（Ｓ１８：Ｙｅｓ）、各種の選択・指定・入力・設定を終了することができる。この場合、本処理（Ｓ１０）では、選択・指定・入力・設定されたデータを記憶し（Ｓ１９）、続いて、ラベル印刷か否かを判別する（Ｓ２０）。
【００８２】
ラベル印刷か否かの判別（Ｓ２０）では、まず、ラベル印刷をするか否かを確認するメッセージ、例えば「ラベル印刷？  Ｙｅｓ（Ｙ）／Ｎｏ（Ｎ）」などの確認メッセージ、あるいはメッセージと共に入力されたデータ一覧等を表示して、印刷するか否かの確認をユーザに促す（Ｓ２０）。これに対し、ユーザは、文字キー群３１の「Ｎ」キーを押すことにより（Ｓ２０：Ｎｏ）、印刷をしないで処理（Ｓ１０）を終了させることができる（Ｓ２２）。今回の処理において印刷をしないまま終了させても、次回、廃電池ラベルキー３４０を押した場合には、今回の処理にて選択・指定・入力・設定等したデータが直近の値となるので、内容を確認しつつ選択キー３２３を必要数分押すだけの簡単な操作で、ラベル印刷か否かの判別（Ｓ２０）まで処理できる。
【００８３】
一方、ユーザは、そのまま印刷したい場合、文字キー群３１の「Ｙ」キーあるいは選択キー３２３を押すことにより（Ｓ２１：Ｙｅｓ）、ラベル印刷（Ｓ２１）に移行させることができる。そして、ラベル印刷（Ｓ２１）が終了すると、本処理（Ｓ１０）を終了する（Ｓ２２）。
【００８４】
ところで、原理的に、電池の種類により、外部との絶縁のための電池絶縁ラベルとして必要最小限のサイズは異なることになるが、テープ印刷装置１では、ＲＯＭ２２０の制御データ領域２２２内に、廃電池ラベルの必要最小限サイズ（所定サイズ）を電池の種類に対応して参照テーブルとして記憶している。このため、それを参照することにより、電池の種類の選択・指定（図５のＳ１２〜Ｓ１３、図６（ａ）のＴ１）に基づいてそれに応じた所定サイズ（必要最小限サイズ）を容易に得られ、また、その所定サイズ以上の廃電池ラベル（電池絶縁ラベル）を容易に作成できるようにしている。
【００８５】
テープ印刷装置１では、上述のラベル印刷（Ｓ２１）において、まず、廃電池ラベルの印刷が可能か否かを判別する。前述のように、テープ印刷装置１では、テープ識別センサ１４２によりテープＴの種別を検出できるので、材質として絶縁テープ（電気的に絶縁性を有するテープ）であるか否かの他、テープ幅をも判別できる。そして、所定サイズには、縦および横の一方のサイズとなるラベル幅と他方のサイズとなるラベル長が含まれ、テープＴのテープ幅がラベル幅以上のときに、電池の種類に応じてテープＴの長手方向をラベル長以上となるように切断する。すなわち、ラベル幅以上のテープ幅のテープＴを装着することにより、電池の種類に応じてテープＴの長手方向をラベル長以上となるように切断するだけで、所定サイズ以上の廃電池ラベル（電池絶縁ラベル）を容易に作成できる。
【００８６】
また、図７に示すように、装着されたテープＴのテープ幅を検出すれば、そのテープ幅がそのテープＴにより作成可能な最大のラベル幅なので、テープＴのテープ幅を検出し、所定サイズに対して、検出されたテープ幅では不足する場合、すなわち、図示の「×」に相当する場合、テープ印刷装置１では、その旨（例えば「テープ幅不足」のメッセージ）を報知（表示）する。このため、ユーザは、新たに幅広のテープ幅のテープＴに交換するなどの対応が容易にできる。なお、前述のように、テープ印刷装置１では、テープＴは、テープＴの種類（テープ幅の違いを含む）に対応するテープカートリッジＣに収容されて装着され、テープ幅の検出は、テープ識別センサ１４２により、装着されたテープカートリッジＣの種類の検出に基づいて行われる。この場合、検出対象としては、テープＴ自体のテープ幅を直接検出するより、テープカートリッジＣの種類の方が検出しやすいので、検出機構（テープ識別センサ１４２）をマイクロスイッチ等の簡易な構成にでき、また、最終的に廃電池ラベル（電池絶縁ラベル）となるテープＴ自体には非接触の状態で、テープ幅を検出できる。
【００８７】
そして、貼着対象の電池に貼るのに必要なラベル幅以上のテープ幅のテープＴが装着され（図７の「○」に相当）、上述の「テープ幅不足」等のエラー報知もなく、データ記憶（Ｓ１９）された内容で、正常にラベル印刷（Ｓ２１）が終了すると、例えば図８〜図１１に示すように、ボタン電池Ｂ１、乾電池Ｂ２、乾電池Ｂ３、ＯＯ６Ｐ型電池Ｂ４のそれぞれに適合する廃電池ラベルＬ１、Ｌ２、Ｌ３Ｐ＋Ｌ３Ｍ、Ｌ４が作成される。例えば図８のボタン電池Ｂ１は、３Ｖを必要とする電子機器には使用できないが、手持ちのラジオには使用可能な残留電圧２．６Ｖの電池であり、図９の乾電池は、残留電圧等は未明であるが、少なくとも手持ちのＭＤプレーヤには使用不可の電池であり、図１０の乾電池は、残留電圧１．２Ｖが判明していて、ＭＤプレーヤには使用不可の電池であり、図１１のＯＯ６Ｐ型電池Ｂ４は、ラジオにも使用不可であることが２０００年４月２０日現在で判明している電池である。そして、これらは、全て、貼着された各廃電池ラベルにより、電気的に外部と絶縁され、安全に管理可能な状態となっている。
【００８８】
上述のように、テープ印刷装置１では、電池Ｂ１等の各電池の両極の少なくとも一方に貼着して電気的に外部と絶縁するための廃電池ラベル（電池絶縁ラベル）Ｌ１等を作成する。このため、貼着対象となる電池Ｂ１等の種類を指定し、その電池（の少なくとも一方の極）に電気絶縁性を有して貼着可能なテープＴを装着し、切り離す部分がその電池の種類に応じた所定サイズ以上の電池絶縁ラベルＬ１等となるようにテープＴを切断する。これにより、テープＴの切断（切り離された）された部分は、貼着対象の電池の種類に応じた所定サイズ以上の電池絶縁ラベルＬ１等となる。また、装着されたテープＴは、電気絶縁性を有して電池（の少なくとも一方の極）に貼着可能なテープＴなので、この電池絶縁ラベルＬ１等も、電気絶縁性を有して電池（の少なくとも一方の極）に貼着可能なもの（ラベル）となる。したがって、貼着対象の電池の種類の指定およびテープＴの装着をするだけ（の簡易な操作）で、その電池（の少なくとも一方の極）に貼着して安全に管理可能な電池絶縁ラベルＬ１等を、容易に作成できる。
【００８９】
なお、電池の少なくとも一方の極を電気的に外部と絶縁すれば（その極に電池絶縁ラベルを貼れば）、安全性は確保できるが、両極ともに絶縁しても良いし、片方の貼着部分が剥がれても安全を維持できるという意味で安全性を向上できるので、テープ印刷装置１では、基本的には、両極ともに絶縁できるように、電池絶縁ラベルを作成している。もちろん、同様に、電池の少なくとも一方の極を電気的に外部と絶縁可能な形態であれば、図示の各例以外にも、種々の形態を採用でき、本発明の要旨を逸脱しない範囲で、適宜変更も可能である。
【００９０】
【発明の効果】
上述のように、本発明の電池絶縁ラベル作成装置によれば、貼着対象の電池に貼着して安全に管理可能な電池絶縁ラベルを容易に作成できる、などの効果がある。
【図面の簡単な説明】
【図１】本発明の一実施形態に係る電池絶縁ラベル作成方法およびその装置を適用したテープ印刷装置の外観斜視図である。
【図２】図１のテープ印刷装置に対応する開蓋状態の外観斜視図である。
【図３】図１のテープ印刷装置の制御系のブロック図である。
【図４】図１のテープ印刷装置の制御全体の概念的処理を示すフローチャートである。
【図５】廃電池ラベル作成処理の一例を示すフローチャートである。
【図６】ディスプレイの表示画面の表示状態の例を示す説明図である。
【図７】装着されたテープのテープ幅と貼着対象の電池の種類に応じて作成可能な廃電池ラベルとの対応関係の一例を示す説明図である。
【図８】ボタン電池に対する廃電池ラベルの一例を示す説明図である。
【図９】乾電池に対する廃電池ラベルの一例を示す、図８と同様の説明図である。
【図１０】２枚構成として各極に貼るタイプの乾電池に対する廃電池ラベルの一例を示す、図８と同様の説明図である。
【図１１】ＯＯ６Ｐ型電池に対する廃電池ラベルの一例を示す、図８と同様の説明図である。
【符号の説明】
１      テープ印刷装置
３      キーボード
４      ディスプレイ
７      印刷ヘッド
１１    操作部
１２    印刷部
１３    切断部
１４    検出部
３１    文字キー群
３２    機能キー群
４１    表示画面
１４２  テープ識別センサ
２００  制御部
２１０  ＣＰＵ
２２０  ＲＯＭ
２３０  ＣＧ−ＲＯＭ
２４０  ＲＡＭ
２７０  駆動部
Ｂ１    ボタン電池
Ｂ２、Ｂ３  ……  乾電池
Ｂ４    ＯＯ６Ｐ型電池
Ｃ      テープカートリッジ
Ｌ１、Ｌ２、Ｌ３Ｐ、Ｌ３Ｍ、Ｌ４  ……  廃電池ラベル（電池絶縁ラベル）
Ｒ      インクリボン
Ｔ      テープ
【図１】
0004122692.tif 000002
【図２】
0004122692.tif 000003
【図３】
0004122692.tif 000004
【図４】
0004122692.tif 000005
【図５】
0004122692.tif 000006
【図６】
0004122692.tif 000007
【図７】
0004122692.tif 000008
【図８】
0004122692.tif 000009
【図９】
0004122692.tif 000010
【図１０】
0004122692.tif 000011
【図１１】
0004122692.tif 000012